(57)【要約】【課題】本発明は、デルタ状に配置される放電セルにおいて、サステイン放電及びアドレス放電効率が向上されるようにする電極構造を有するプラズマディスプレイ装置を提供する。【解決手段】本発明は、多角形をなす放電セルがデルタ状に配置され、前記放電セルに電圧を印加するスキャン電極又はサステイン電極において、放電空間側に突出部が互いに対向するように形成され、前記突出部は、少なくとも一つの陥没部を有するので、ロングギャップによるサステイン放電効率が増加する。合わせて、前記放電セルの下部に形成されるデータ電極が放電空間において、データ電極の幅が広く形成されるので、対を成すスキャン電極及びサステイン電極それぞれとの有効側面間の距離が狭められて、アドレス放電効率が増加する。【選択図】図４
2006344577.tif 000002
【特許請求の範囲】
【請求項１】
背面基板上に形成された隔壁により区分され、デルタ状に配置された三つ以上のセルと、
該セルの下部に配置され、広大部と狭小部とを有するデータ電極と、
前記背面基板と合着する前面基板に、前記隔壁の少なくとも一部と交差して配置された一対の電極と、
該一対の電極それぞれから互いに対向するように前記セルの内部に突出し、少なくとも一つの陥没部が形成された一つ以上の突出部と、
を含むことを特徴とするプラズマディスプレイ装置。
【請求項２】
前記隔壁は、
少なくとも一部が前記一対の電極のうち少なくとも一方と重なり合うように配列された第１の隔壁と、
前記第１の隔壁と連結し、少なくとも一部が前記データ電極と重なり合うように配列された第２の隔壁と、
を含むことを特徴とする請求項１に記載のプラズマディスプレイ装置。
【請求項３】
前記セルの内部において、一つ以上の前記陥没部が対向していることを特徴とする請求項１に記載のプラズマディスプレイ装置。
【請求項４】
前記広大部は、放電空間である前記セルの内部に形成され、
前記狭小部は、非放電空間である前記セルを画定する第２の隔壁と少なくとも一部が重なり合うように形成されたことを特徴とする請求項１に記載のプラズマディスプレイ装置。
【請求項５】
前記セルの内部において、少なくとも一つの前記突出部と前記広大部とは少なくとも一部が重なり合うことを特徴とする請求項１に記載のプラズマディスプレイ装置。
【請求項６】
前記セルの内部において、少なくとも一つの前記陥没部と前記広大部とは少なくとも一部が重なり合うことを特徴とする請求項１に記載のプラズマディスプレイ装置。
【請求項７】
前記セルの内部において、前記突出部間の離隔距離は、６０μｍ乃至１８０μｍであることを特徴とする請求項１に記載のプラズマディスプレイ装置。
【請求項８】
隣接した前記セル間の突出部は、分離していることを特徴とする請求項１に記載のプラズマディスプレイ装置。
【請求項９】
前記広大部の幅は、前記突出部の幅に対して７５％乃至１５０％であることを特徴とする請求項１に記載のプラズマディスプレイ装置。
【請求項１０】
前記狭小部の幅は、前記突出部の幅に対して５％乃至７５％であることを特徴とする請求項１に記載のプラズマディスプレイ装置。
【請求項１１】
前記広大部は、複数個の狭小部で構成が可能であり、
各狭小部間には一つ以上のホールが形成されたことを特徴とする請求項１に記載のプラズマディスプレイ装置。
【請求項１２】
背面基板上に形成された隔壁により区分され、デルタ状に配置された三つ以上のセルと、
該セルの下部に配置されたデータ電極と、
前記背面基板と合着する前面基板に、前記隔壁の少なくとも一部と交差して配置された一対の電極と、
該一対の電極それぞれから互いに対向するように前記セルの内部に突出し、少なくとも一つの陥没部が形成された一つ以上の突出部と、
を含むことを特徴とするプラズマディスプレイ装置。
【請求項１３】
前記隔壁は、
少なくとも一部が前記一対の電極のうち少なくとも一方と重なり合うように配列された第１の隔壁と、
前記第1の隔壁と連結し、少なくとも一部が前記データ電極と重なり合うように配列された第２の隔壁と、
を含むことを特徴とする請求項１２に記載のプラズマディスプレイ装置。
【請求項１４】
前記セルの内部において、一つ以上の前記陥没部が対向していることを特徴とする請求項１２に記載のプラズマディスプレイ装置。
【請求項１５】
前記セルの内部において、前記データ電極は、一つ以上の前記突出部及び／または前記陥没部と少なくとも一部が重なり合うことを特徴とする請求項１２に記載のプラズマディスプレイ装置。
【請求項１６】
前記セルの内部において、前記突出部間の離隔距離は、６０μｍ乃至１８０μｍであることを特徴とする請求項１２に記載のプラズマディスプレイ装置。
【請求項１７】
背面基板上に形成された隔壁により区分され、デルタ状に配置された三つ以上のセルと、
該セルの下部に配置され、広大部と狭小部とを有するデータ電極と、
前記背面基板と合着する前面基板に、前記隔壁の少なくとも一部と交差して配置された一対の電極と、
該一対の電極それぞれから互いに対向するように前記セルの内部に突出する一つ以上の突出部と、
を含むことを特徴とするプラズマディスプレイ装置。
【請求項１８】
前記隔壁は、
少なくとも一部が前記一対の電極のうち少なくとも一方と重なり合うように配列された第１の隔壁と、
前記第1の隔壁と連結し、少なくとも一部が前記データ電極と重なり合うように配列された第２の隔壁と、
を含むことを特徴とする請求項１７に記載のプラズマディスプレイ装置。
【請求項１９】
前記広大部は、放電空間である前記セルの内部に形成され、
前記狭小部は、非放電空間である前記セルを画定する第２の隔壁と少なくとも一部が重なり合うように形成されたことを特徴とする請求項１７に記載のプラズマディスプレイ装置。
【請求項２０】
前記セルの内部において、少なくとも一つの前記突出部及び／または前記陥没部は、前記広大部と少なくとも一部が重なり合うことを特徴とする請求項１７に記載のプラズマディスプレイ装置。
【発明の詳細な説明】
【技術分野】
【０００１】
本発明は、プラズマディスプレイ装置に関し、特に、デルタ状に配置される放電セルにおいて、サステイン放電及びアドレス放電効率が向上されるようにする電極構造に関する。
【背景技術】
【０００２】
プラズマディスプレイ装置は、隔壁が形成された背面基板及びこれと対向される前面基板間に放電セルが形成され、各放電セルの内部の不活性ガスが高周波電圧によって放電される時に発生する真空紫外線が蛍光体を発光させることにより、映像を具現する装置である。
【０００３】
図１は、一般的なプラズマディスプレイパネルの放電セルを示す断面図である。
【０００４】
まず、前記放電セルは、前面基板１０に対向する背面基板１８上に放電空間を画定する複数個の隔壁２４によって形成される。図１は、四角形の前記放電セルが隔壁２４によってマトリクス状に配列しつつ中州状に画定されることを例示する。
【０００５】
前記背面基板１８上には、データ電極Ｘが形成され、前記前面基板１０下には、スキャン電極Ｙ及びサステイン電極Ｚが対をなして形成される。前記データ電極Ｘは、他の電極Ｙ、Ｚと交差するように形成される。なお、図１は、スキャン電極Ｙ及びサステイン電極Ｚと垂直に交わる面で前面基板１０を切断した際の断面と、データ電極Ｘと垂直に交わる面で背面基板１８を切断した際の断面とを示す。
【０００６】
前記データ電極Ｘが形成された背面基板１８上には、壁電荷蓄積のための下部誘電体層２２が形成される。
【０００７】
前記下部誘電体層２２上には、隔壁２４が形成されて、隔壁間に放電空間を形成し、放電によって生成された紫外線及び可視光線が隣接した放電セルに漏れることを防止する。前記下部誘電体層２２と隔壁２４との表面には、蛍光体２６が塗布される。
【０００８】
前記放電空間には、不活性ガスが封入されているので、ガス放電時に発生した紫外線によって前記蛍光体２６は励起されて、赤色、緑色、または青色のうち、いずれか一つの可視光線を発生することとなる。
【０００９】
前記前面基板１０に形成されるスキャン電極Ｙ及びサステイン電極Ｚは、透明電極１２Ｙ、１２Ｚとバス電極１３Ｙ、１３Ｚとからなり、前記データ電極Ｘと交差される。合わせて、前記スキャン電極Ｙ及びサステイン電極Ｚを覆う上部誘電体層１４と保護膜１６とが形成される。
【００１０】
このような構造の放電セルは、データ電極Ｘとスキャン電極Ｙとの間の対向放電によって選択されてから、スキャン電極Ｙ及びサステイン電極Ｚ間の面放電によって放電が維持されて、可視光を放出させる。
【００１１】
スキャン電極Ｙとサステイン電極Ｚとのそれぞれは、透明電極１２Ｙ、１２Ｚと、前記透明電極の幅より小さい幅を有し、透明電極の一方の端に形成されるバス電極１３Ｙ、１３Ｚとからなる。
【００１２】
図２は、焼成工程前に、従来の四角形の隔壁が図示された平面図であり、図３は、焼成工程後に、六角形の隔壁が図示された平面図である。
【００１３】
前記四角形の隔壁２４は、横方向に形成される第１の隔壁２４ａと、データ電極Ｘと同一方向に形成される第２の隔壁２４ｂとから構成され、５５０〜６００℃の焼成工程中に前記隔壁は、前記第１の隔壁２４ａ及び第２の隔壁２４ｂ間の交差点で各隔壁の熱応力に対する収縮方向が図２に示されているように、異なるようになるので、前記四角形の隔壁２４は、図３に示されているように、六角形デルタ隔壁に変形される。
【００１４】
図３に示された六角形の隔壁は、蛍光体の塗布面積が増加されるという長所があるが、前記第１の隔壁２４ａと重なり合うように形成されるバス電極１３Ｙ、１３Ｚが、可視光が放出される放電空間を遮断することになるため、発光効率及び輝度が低下するという問題がある。
【発明の開示】
【発明が解決しようとする課題】
【００１５】
本発明は、上記した従来の技術の問題点を解決するためのものであって、その目的は、マトリクス状に配置される放電セルにおいて、サステイン放電及びアドレス放電効率が向上されるようにする電極構造を有するプラズマディスプレイ装置を提供することにある。
【課題を解決するための手段】
【００１６】
そこで、上記の目的を達成するために、本発明に係るプラズマディスプレイ装置は、背面基板上に形成された隔壁により区分され、デルタ状に配置された三つ以上のセルと、該セルの下部に配置されるデータ電極と、前記背面基板と合着する前面基板に、前記隔壁の少なくとも一部と交差して配置された一対の電極と、該一対の電極それぞれから互いに対向するように前記セルの内部に突出し、少なくとも一つの陥没部が形成された一つ以上の突出部とを含むことを特徴とする。
【００１７】
前記隔壁は、少なくとも一部が前記一対の電極のうち少なくとも一方と重なり合うように配列された第１の隔壁と、前記第１の隔壁と連結し、少なくとも一部が前記データ電極と重なり合うように配列された第２の隔壁とを含んで構成される。
【００１８】
前記セルの内部において、一つ以上の前記陥没部が対向し、前記突出部間の離隔距離は、６０μｍ乃至１８０μｍである。
【００１９】
また、前記セルの内部において、前記データ電極は一つ以上の前記突出部及び／または前記陥没部と少なくとも一部が重なり合う。
【００２０】
そして、本発明に係わるプラズマディスプレイ装置は、背面基板上に形成された隔壁により区分され、デルタ状に配置された三つ以上のセルと、該セルの下部に配置され、広大部と狭小部とを有するデータ電極と、前記背面基板と合着する前面基板に、前記隔壁の少なくとも一部と交差して配置された一対の電極と、該一対の電極それぞれから互いに対向するように前記セルの内部に突出する一つ以上の突出部とを含むことを特徴とする。
【００２１】
前記隔壁は、少なくとも一部が前記一対の電極のうち少なくとも一方と重なり合うように配列された第１の隔壁と、前記第1の隔壁と連結し、少なくとも一部が前記データ電極と重なり合うように配列された第２の隔壁とを含んで構成される。
【００２２】
また、前記データ電極の広大部は、放電空間である前記セルの内部に形成され、前記狭小部は、非放電空間である前記セルを画定する第２の隔壁と少なくとも一部が重なり合うように形成される。
【００２３】
なお、前記セルの内部において、少なくとも一つの前記突出部及び／または前記陥没部は、前記広大部と少なくとも一部が重なり合うように形成される。
【００２４】
そして、本発明に係わるプラズマディスプレイ装置は、背面基板上に形成された隔壁により区分され、デルタ状に配置された三つ以上のセルと、該セルの下部に配置され、広大部と狭小部とを有するデータ電極と、前記背面基板と合着する前面基板に、前記隔壁の少なくとも一部と交差して配置された一対の電極と、該一対の電極それぞれから互いに対向するように前記セルの内部に突出し、少なくとも一つの陥没部が形成された一つ以上の突出部とを含んで構成される。
【００２５】
前記隔壁は、少なくとも一部が前記一対の電極のうち少なくとも一方と重なり合うように配列された第１の隔壁と、前記第１の隔壁と連結し、少なくとも一部が前記データ電極と重なり合うように配列された第２の隔壁とを含んで構成される。
【００２６】
前記突出部間の離隔距離は、６０μｍ乃至１８０μｍであり、隣接した前記セル間の突出部は、分離している。そして、前記突出部に形成された少なくとも一つ以上の陥没部は互いに対向する。
【００２７】
前記データ電極の広大部は、放電空間である前記セルの内部に形成され、前記狭小部は、非放電空間である前記セルを画定する第２の隔壁と少なくとも一部が重なり合うように形成される。
【００２８】
そして、前記セルの内部において、少なくとも一つの前記突出部と前記広大部とは、少なくとも一部が重ね合わせ、少なくとも一つの陥没部と前記広大部とが、少なくとも一部が重なり合うように形成される。
【００２９】
前記広大部の幅は、前記突出部の幅に対して７５％乃至１５０％であり、前記狭小部の幅は、前記突出部の幅に対して５％乃至７５％である。そして、前記狭小部には一つ以上のホールが形成される。
【発明の効果】
【００３０】
本発明によれば、デルタ状に配置される放電セルにおいて、サステイン放電及びアドレス放電効率が向上される。
【発明を実施するための最良の形態】
【００３１】
以下、添付された図面を参照して、本発明に係わるプラズマディスプレイパネルのデルタ状放電セル及び該放電セルの電極構造の実施形態を説明する。
【００３２】
但し、本発明に係わるデルタ状放電セル及び該放電セルの電極構造を有するプラズマディスプレイパネルは、その実施形態が複数個存在できるので、本明細書に記載された実施形態に限定されない。
【００３３】
図４は、本発明のデルタ状放電セルの構造が図示された断面図であり、図５及び図６は、前記デルタ状放電セルの電極構造が図示された図である。
【００３４】
本発明の第１の実施形態乃至第４の実施形態に係わるプラズマディスプレイ装置は、上下に互いに隣接して位置されている放電セルが一つの画素セルを形成するデルタ状構造を有する。
【００３５】
すなわち、本発明に係わるプラズマディスプレイパネルは、デルタ状に配置されるＲ、Ｇ、Ｂ放電セルを形成し、本明細書では、前記放電セルの形状が六角形であることを実施形態として説明しているが、四角形、五角形、それ以上の多角形、あるいは曲率形、非定形などの形状を有する放電セルでも本発明の技術思想は同じく採用可能である。
【００３６】
本発明に係わるプラズマディスプレイ装置は、データ電極Ｘと、該データ電極Ｘと交差するように形成されるスキャン電極（走査電極とも言う）Ｙ及びサステイン電極（維持電極とも言う）Ｚとを備える。なお、スキャン電極Ｙとサステイン電極Ｚとは一対を成す。この時、少なくとも一部が前記スキャン電極Ｙ及びサステイン電極Ｚのうち少なくとも一方と重なり合うように配列された隔壁を第１の隔壁５４ａとし、前記第1の隔壁５４ａと連結し且つ前記データ電極Ｘと少なくとも一部が重なり合うように配列された隔壁を第２の隔壁５４ｂとする。
【００３７】
対を成すスキャン電極Ｙとサステイン電極Ｚとのそれぞれは、透明電極４２Ｙ、４２Ｚと、該透明電極４２Ｙ、４２Ｚの線幅より小さい線幅を有するバス電極４３Ｙ、４３Ｚとから構成され、前記バス電極４３Ｙ、４３Ｚは、前記透明電極４２Ｙ、４２Ｚの一方の端に前記スキャン電極対Ｙ又は前記サステイン電極Ｚと重なり合う第１の隔壁５４ａに沿って形成される。
【００３８】
前記透明電極４２Ｙ、４２Ｚは、通常、インジウムティンオキサイドＩＴＯ（Indium Tin Oxide）で前面基板上に形成される。すなわち、透明電極４２Ｙ、４２Ｚは、図５及び図６に示されているように、バス電極４３Ｙ、４３Ｚと連結され、六角形の放電セルをデルタ状に画定する第１の隔壁５４ａに沿って形成される連結部４２ｂと、該連結部４２ｂから前記放電セルの内部に向けて突出する第１及び第２の突出部４２ａ１、４２ａ２とを備える。第１及び第２の突出部４２ａ１及び４２ａ２は、それぞれ所定の幅だけ前記放電セル内に突出している。また、第１及び第２の突出部４２ａ１及び４２ａ２は、前記放電セル内で互いに対向するように、隣り合う２つの連結部４２ｂからそれぞれ突出している。
【００３９】
これにより、前記データ電極Ｘは、図５に示されているように、六角形状の放電セルの中心を横切るように形成され、前記透明電極４２Ｙ、４２Ｚの第１及び第２の突出部４２ａ１、４２ａ２も前記データ電極Ｘと重なり合うように形成される。また、前記透明電極４２Ｙ、４２Ｚからそれぞれ突出する第１及び第２の突出部４２ａ１、４２ａ２は互いに対向する。
【００４０】
バス電極４３Ｙ、４３Ｚは、抵抗の高い透明電極４２Ｙ、４２Ｚによる電圧降下を減らし、透明電極４２Ｙ、４２Ｚに電圧信号を供給する役割を果たすようになる。このために、前記バス電極４３Ｙ、４３Ｚは、各放電セルの透明電極４２Ｙ、４２Ｚに駆動信号を供給するために、各透明電極の連結部４２ｂと連結される。
【００４１】
また、前記バス電極４３Ｙ、４３Ｚは、銀Ａｇ、銅Ｃｕ、クロムＣｒのうち、少なくともいずれか一つから形成され、前記透明電極４２Ｙ、４２Ｚと接続され、第１の隔壁５４ａと一部が重なり合うように形成される。
【００４２】
スキャン電極Ｙ及びサステイン電極Ｚが形成される前面基板４０には、上部誘電体層４４と保護膜４６とが形成される。上部誘電体層４４は、プラズマ放電時発生した壁電荷が蓄積され、前記保護膜４６は、プラズマ放電時に発生したスパッタリングによる上部誘電体層４４の損傷を防止し、且つ、２次電子の放出効率を高めるようにする。
【００４３】
データ電極Ｘが形成される背面基板４８には、壁電荷蓄積のための下部誘電体層５２と、放電によって生成された紫外線及び可視光線が隣接した放電セルに漏れることを防止する隔壁５４とが形成される。隔壁５４は、下部誘電体層５２上に形成される。前記下部誘電体層５２と隔壁５４との表面には、蛍光体５６が塗布される。
【００４４】
そして、前記蛍光体５６は、プラズマ放電時に発生した紫外線によって励起されて、赤色、緑色、または青色のうち、いずれか一つの可視光線を発生し、前面基板４０と背面基板４８と隔壁５４との間に設けられた放電空間には、ガス放電のための不活性ガスが封入される。
【００４５】
このように、第１の実施形態に係わるプラズマディスプレイ装置では、第１の隔壁５４ａとバス電極４３Ｙ、４３Ｚとが重なり合うので、前記バス電極４３Ｙ、４３Ｚによって可視光が放出される放電空間が遮断されない。また、前記第１の実施形態に係わるプラズマディスプレイ装置では、透明電極４２Ｙ、４２Ｚの連結部４２ｂが前記バス電極４３Ｙ、４３Ｚと連結され、透明電極４２Ｙ、４２Ｚの第１及び第２の突出部４２ａ１、４２ａ２が放電セルの内部に突出するので、放電効率が向上される。
【００４６】
図７は、第２の実施形態に係わるデルタ状隔壁構造を有するプラズマディスプレイ装置の放電セル及び電極構造に関する図である。図７に示された第２の実施形態は、図４乃至図６に示された第１の実施形態と類似しているが、透明電極の突出部に陥没部が形成される点が特徴である。
【００４７】
図７に示されているように、放電セルの内部には、データ電極Ｘと交差され、スキャン電極Ｙから突出する第１の突出部４２ｃ１と、同一のデータ電極Ｘと交差すると共に、サステイン電極Ｚから突出する第２の突出部４２ｃ２とをそれぞれ備える。ここで、前記第１の突出部４２ｃ１及び第２の突出部４２ｃ２は、互いに対向するように配置される。
【００４８】
このような第１の突出部４２ｃ１と第２の突出部４２ｃ２との対向面は、その中央部Ｃの離隔距離が端部Ｅの離隔距離と相違するように、前記第１の突出部及び第２の突出部４２ｃ１、４２ｃ２には、それぞれ第１の陥没部４２ｄ１又は第２の陥没部４２ｄ２が形成される。
【００４９】
すなわち、前記第１の突出部４２ｃ１及び第２の突出部４２ｃ２は、図７に示されているように、中央部Ｃに第１の陥没部４２ｄ１又は第２の陥没部４２ｄ２が形成されるので、スキャン電極Ｙ及びサステイン電極Ｚにそれぞれ電源が供給される場合、中央部Ｃに形成される電界は、弱電界が形成され、端部Ｅには、強電界が形成される。ここで、前記中央部Ｃには、端部Ｅよりも長いロングギャップが形成され、図１０に示されているように、第１及び第２の陥没部４２ｄ１、４２ｄ２の形状は、多角形、円形など種々の形状を適用することができる。
【００５０】
前記第１の陥没部４２ｄ１及び第２の陥没部４２ｄ２間において形成されるロングギャップの長さは、解像度ＶＧＡ級を基準として６０〜１８０μｍ以内の長さを有する。
【００５１】
このように、第２の実施形態に係わるプラズマディスプレイ装置は、放電を起こす電圧が印加される透明電極の第１及び第２の突出部４２ｃ１、４２ｃ２間の離隔距離が、前記第１及び第２の陥没部４２ｄ１、４２ｄ２により中央部Ｃでさらに長く形成されるので、突出部間の離隔距離が同一である第１の実施形態より放電が発生する陽光柱領域が大きく確保されるので、コントラストが向上される。
【００５２】
図８は、第３の実施形態に係わるデルタ状隔壁構造を有するプラズマディスプレイ装置の放電セル及び電極構造に関する図である。図８に示された第３の実施形態は、図４乃至図６に示された第１の実施形態と類似しているが、隔壁と重なり合うデータ電極と放電空間と重なり合うデータ電極との形状が異なり、前記放電空間と重なり合うデータ電極にホールが形成される点が特徴である。
【００５３】
図８に示されているように、六角形の放電セルは、第１の隔壁５４ａ及び第２の隔壁５４ｂにより画定され、前記第１及び第２の隔壁５４ａ、５４ｂで画定された放電セルは、蜂の巣状に配置される。
【００５４】
前面基板に形成される対を成す電極は、スキャン電極Ｙとサステイン電極Ｚとから構成され、各電極は、透明電極４２Ｙ、４２Ｚと、該透明電極４２Ｙ、４２Ｚの線幅より小さい線幅を有するバス電極４３Ｙ、４３Ｚとから構成される。
【００５５】
また、前記透明電極４２Ｙ、４２Ｚは、第１の実施形態のように、六角形の放電セルを蜂の巣状に画定する第１の隔壁５４ａに沿って形成される連結部４２ｂと、該連結部４２ｂから前記放電セルの内部に所定の幅を有して突出し、互いに対をなして向かい合う第１及び第２の突出部４２ａ１、４２ａ２とを備える。
【００５６】
なお、背面基板に形成されるデータ電極Ｘは、幅の大きい広大部Ｘ１と、幅の小さい狭小部Ｘ２とに区分することができる。この時、前記データ電極Ｘの広大部Ｘ１の最大幅ｄ’は、透明電極の第１及び第２の突出部４２ａ１、４２ａ２の最大幅に対して約７５％乃至１５０％であり、データ電極Ｘの狭小部Ｘ２の最大幅ｄは、透明電極の第１及び第２の突出部４２ａ１、４２ａ２の最大幅に対して約５％乃至７５％である。
【００５７】
このように、前記データ電極Ｘに広大部Ｘ１を有する理由は、スキャン電極Ｙとデータ電極Ｘとの間に発生する対向放電（アドレス放電）の効率を高めるためである。近年、放電効率を向上させるために、スキャン電極Ｙとサステイン電極Ｚとの間のギャップが広く形成されるが、前記データ電極Ｘが前記広大部Ｘ１を有するようになると、スキャン電極Ｙとサステイン電極Ｚとの間のロングギャップが形成されても、対向放電のための放電電圧が大きく上昇しなく、駆動効率が向上される。
【００５８】
このように形成されるデータ電極Ｘの広大部Ｘ１は、ホールの形成無しに、前記狭小部Ｘ２より広い幅を有する電極として形成可能であり、複数の狭小部Ｘ３間にホールを含む電極として形成可能である。
【００５９】
さらに、前記広大部Ｘ１の幅ｄ’は、Ｒ、Ｂ、Ｇ放電セルにおける放電特性に応じて、少なくとも一つ以上の放電セルにおいて相違した幅を有することができ、例えば、前記広大部Ｘ１の幅ｄ’は、Ｂ＞Ｇ＞Ｒの順に形成されるか、Ｂ＞Ｒ＞Ｇの順に形成され得る。
【００６０】
図示されているように、前記複数の狭小部Ｘ３が連結されて、広大部Ｘ１を形成する場合、各狭小部Ｘ３の幅ｄ１、ｄ２は、前記透明電極の第１及び第２の突出部４２ａ１、４２ａ２の最大幅に対して１％乃至３０％である。
【００６１】
各狭小部Ｘ３間には、ホールが形成され、該ホールの幅ｈは、前記透明電極の第１及び第２の突出部４２ａ１、４２ａ２の最大幅に対して５％乃至８０％であり、第２の隔壁５４ｂの幅に対して５０％乃至１１０％である。
【００６２】
もし、前記ホールの幅ｈが前記第２の隔壁５４ｂの幅に対して５０％未満である場合は、ホールの大きさがあまり小さくなって、データ電極Ｘの材料費の低減ができる効果が十分に表れず、１１０％を超える場合は、ホールの大きさがあまり大きくなって、相対的にデータ電極Ｘの狭小部の幅ｄ１、ｄ２が狭くなるため、スキャン電極Ｙ及びサステイン電極Ｚそれぞれとデータ電極Ｘとの間の対向放電効率が低下する。
【００６３】
上述したように、第３の実施形態は、データ電極Ｘの幅ｄ’を放電空間において広く形成してから、放電空間におけるデータ電極Ｘにホールを形成することにより、アドレス放電に係わるスキャン電極Ｙとデータ電極Ｘとの有効側面間の距離を狭めて、アドレス放電時に起こるジッタ現象を低減させ、これにより、プラズマディスプレイパネルの放電効率を向上させる。
【００６４】
図９は、第４の実施形態に係わるデルタ状隔壁構造を有するプラズマディスプレイ装置の放電セル及び電極構造に関する図である。図９に示された第４の実施形態は、図７に示されているように、透明電極の第１及び第２の突出部４２ｃ１、４２ｃ２にそれぞれ第１又は第２の陥没部４２ｄ１、４２ｄ２が形成され、図８に示されているように、広大部Ｘ１及び狭小部Ｘ２から構成されるデータ電極が形成される点が特徴である。
【００６５】
放電セルの内部には、データ電極Ｘと交差され、スキャン電極Ｙから突出する第１の突出部４２ｃ１と、同一のデータ電極Ｘと交差すると共に、サステイン電極Ｚから突出第２の突出部４２ｃ２とをそれぞれ備える。ここで、前記第１の突出部４２ｃ１及び第２の突出部４２ｃ２は、互いに対向するように配置される。
【００６６】
このような第１の突出部４２ｃ１と第２の突出部４２ｃ２との対向面は、その中央部Ｃの離隔距離が端部Ｅの離隔距離と相違するように、前記第１の突出部４２ｃ１及び第２の突出部４２ｃ２には、それぞれ第１の陥没部４２ｄ１又は第２の陥没部４２ｄ２が形成され、図１０に示されているように、多角形、円形など様々な形態で形成可能である。
【００６７】
前記第１の陥没部４２ｄ１及び第２の陥没部４２ｄ２によって形成される透明電極間のギャップの長さは、解像度ＶＧＡ級を基準として６０〜１８０μｍ以内の長さを有する。
【００６８】
また、背面基板１８に形成されるデータ電極Ｘは、幅の大きい広大部Ｘ１と、幅の小さい狭小部Ｘ２とから区分される。この時、前記データ電極Ｘの広大部Ｘ１の最大幅は、透明電極の第１及び第２の突出部４２ｃ１、４２ｃ２の最大幅に対して約７５％乃至１５０％であり、データ電極Ｘの狭小部Ｘ２の最大幅は、透明電極の第１及び第２の突出部４２ｃ１、４２ｃ２の最大幅に対して約５％乃至７５％である。
【００６９】
なお、前記データ電極Ｘの広大部Ｘ１は、ホールの形成無しに、前記狭小部Ｘ２より広い幅を有する電極として形成可能であり、複数の狭小部Ｘ３間にホールを含む電極として形成可能である。
【００７０】
さらに、前記広大部Ｘ１の幅ｄ’は、Ｒ、Ｂ、Ｇ放電セルにおける放電特性に応じて、少なくとも一つ以上の放電セルにおいて相違した幅を有することができ、例えば、前記広大部Ｘ１の幅ｄ’は、Ｂ＞Ｇ＞Ｒの順に形成されるか、Ｂ＞Ｒ＞Ｇの順に形成され得る。
【００７１】
図示されているように、前記複数の狭小部Ｘ３が連結されて、広大部Ｘ１を形成する場合、各狭小部Ｘ３の幅ｄ１、ｄ２は、前記透明電極の第１及び第２の突出部４２ｃ１、４２ｃ２の最大幅に対して１％乃至３０％である。
【００７２】
また、各狭小部Ｘ３間に形成されるホールの幅ｈは、前記透明電極の第１及び第２の突出部４２ｃ１、４２ｃ２の最大幅に対して５％乃至８０％であり、第２の隔壁５４ｂの幅に対して５０％乃至１１０％である。
【００７３】
したがって、第４の実施形態は、第１の突出部４２ｃ１及び第２の突出部４２ｃ２に第１又は第２の陥没部４２ｄ１、４２ｄ２がそれぞれ形成されるので、ロングギャップが形成されて、サステイン放電効率が高められると共に、前記データ電極Ｘの広大部Ｘ１が、複数の狭小部Ｘ３及び狭小部間にホールによって放電空間におけるデータ電極Ｘの幅が広くなるので、スキャン電極Ｙ及びサステイン電極Ｚそれぞれとの有効側面間の距離が狭められて、アドレス放電効率が高められるという長所がある。
【００７４】
本発明は、上記の実施形態に限定されるものではなく、本発明に係る技術的思想から逸脱しない範囲内で様々な変更が可能であり、それらも本発明の技術的範囲に属する。
【図面の簡単な説明】
【００７５】
【図１】従来の四角形デルタ隔壁により画定された放電セルの断面図である。
【図２】焼成工程前に、図１に示された四角形デルタ隔壁が図示された平面図である。
【図３】焼成工程後に、六角形デルタ隔壁が図示された平面図である。
【図４】本発明の六角形デルタ隔壁により画定された放電セルの断面図である。
【図５】第１の実施形態に係わる放電セル及び電極の配列が図示された図である。
【図６】第１の実施形態に係わる放電セル及び電極の構造図である。
【図７】第２の実施形態に係わる放電セル及び電極の構造図である。
【図８】第３の実施形態に係わる放電セル及び電極の構造図である。
【図９】第４の実施形態に係わる放電セル及び電極の構造図である。
【図１０】第２の実施形態及び第４の実施形態に採用された電極の形状が図示された図である。
【符号の説明】
【００７６】
１０、４０  前面基板
１２Ｙ、１２Ｚ、４２Ｙ、４２Ｚ  透明電極
１３Ｙ、１３Ｚ、４３Ｙ、４３Ｚ  バス電極
１４、４４  上部誘電体層
１６、４６  保護膜
１８、４８  背面基板
２２、５２  下部誘電体層
２４、５４  隔壁
２４ａ、５４ａ  第１の隔壁
２４ｂ、５４ｂ  第２の隔壁
２６  蛍光体
４２ａ１、４２ｃ１  第１の突出部
４２ａ２、４２ｃ２  第２の突出部
４２ｂ  連結部
４２ｄ１  第１の陥没部
４２ｄ２  第２の陥没部
Ｃ  中央部
Ｅ  端部
Ｘ  データ電極
Ｘ１  広大部
Ｘ２、Ｘ３  狭小部
Ｙ  スキャン電極
Ｚ  サステイン電極
【図１】
2006344577.tif 000003
【図２】
2006344577.tif 000004
【図３】
2006344577.tif 000005
【図４】
2006344577.tif 000006
【図５】
2006344577.tif 000007
【図６】
2006344577.tif 000008
【図７】
2006344577.tif 000009
【図８】
2006344577.tif 000010
【図９】
2006344577.tif 000011
【図１０】
2006344577.tif 000012